(57)【要約】【課題】  本発明は複数の容器を組み合わせて給液を行う場合に設定量が正しいことを確認できることを課題とする。【解決手段】  計量機に設けられた表示器３４，３６は、購入したプリペイドカードをカードリーダに挿入してカード情報を読み取らせると、カード情報に基づいて設定量表示部４８に設定量が表示され、且つ缶数表示部５０に容器容量及び函数（ポリ容器数）を表示する。そのため、顧客は、給液を開始する前に設定量（供給量）とポリ容器４４の容量及び函数を確認することができ、設定量を誤って設定した場合には、缶数表示部５０に表示された容器容量及び函数が所持している容器容量及び函数と異なる値になるため、設定間違いであることを容易に確認することができる。【選択図】  図３
2005145548.tif 000002
【特許請求の範囲】
【請求項１】
被供給容器へ流体を供給する流体供給手段と、
前記流体供給手段により供給しようとする流体の供給量を設定量として設定する供給量設定手段と、
該供給量設定手段により設定された設定量を記憶する設定量記憶手段と、
前記流体供給手段による前記流体の供給量が前記設定量記憶手段に記憶された設定量に達したときに前記流体の供給を停止するように前記流体供給手段を制御する制御手段とを有する流体供給装置において、
前記設定量記憶手段に記憶された設定量を供給するために必要な前記被供給容器の個数を演算するための容器個数演算手段と、
前記容器個数演算手段により演算された前記被供給容器の個数を報知する報知手段と、
を備えたことを特徴とする流体供給装置。
【請求項２】
前記容器個数演算手段は、容量の異なる被供給容器の容量で除算して供給可能な各被供給容器毎の個数を演算し、
前記報知手段は、前記容器個数演算手段により演算された各被供給容器毎の個数を報知することを特徴とする請求項１記載の流体供給装置。
【請求項３】
前記供給量設定手段は、予め購入されたカードに記憶された情報を読み取り、当該情報に基づき設定量を設定可能とすることを特徴とする請求項１または２記載の流体供給装置。
【請求項４】
前記供給量設定手段は、流体供給開始が行われない場合には、前記カードを返却することを特徴とする請求項３記載の流体供給装置。
【請求項５】
前記供給量設定手段は、流体の供給が行われると、前記カードを返却できないように回収することを特徴とする請求項３記載の流体供給装置。
【発明の詳細な説明】
【技術分野】
【０００１】
本発明は流体供給装置に係り、特に流体供給を開始する前に大きさの異なる被供給容器の個数が分かるように構成された流体供給装置に関する。
【背景技術】
【０００２】
近年、給液所以外でも、灯油の販売が行われている。このように、灯油の販売を行う店舗では、セルフサービス方式の灯油専用計量機が設けられており、顧客が空のポリ容器（被供給容器）を持参して計量機の給液ノズルをポリ容器の給液口に差し込んで給液を行う（例えば、特許文献１参照）。
【０００３】
また、灯油専用の計量機は、計量機から導出される可撓性を有する給液ホースと、その給液ホース先端に設けられてポリ容器の給液口に挿入される給液ノズルとを有している。
【０００４】
このようなセルフサービス方式の灯油専用計量機を用いてポリ容器に灯油を供給する場合、顧客は、予め供給量に応じた金額の紙幣を券売機に投入してプリペイドカードを購入する。次に顧客は、購入したプリペイドカードをカードリーダに挿入してカード情報を読み込ませる。
【０００５】
そして、計量機に設けられた給液ノズルの吐出パイプをポリ容器の給液口に挿入した後、給液ノズルのノズルレバーを開弁方向に操作して灯油の供給を開始する。
【０００６】
そして、ポリ容器内の液面が上昇して給液ノズルの吐出パイプに達するとノズルレバーを閉弁方向に操作して給液ノズルの主弁が閉弁する。このとき、目標とする２０リットルあるいは１８リットルに達していないので、顧客は給液ノズルのノズルレバーを半開に操作して少流量で給液を行う。そして、計量機の表示器に２０リットルあるいは１８リットルが表示されるまで、少量給液操作を行う。
【０００７】
さらに、計量機には、カードリーダによって読み込まれたプリペイドカードのカード情報に基づき、供給可能な総供給量がプリセットされ、計量機では給液開始釦が押圧操作されて給液ポンプが起動され、プリセットされた設定量が給液されるまで給液ポンプが駆動される。
【０００８】
また、上記特許文献１では、プリペイドカードをポリ容器毎に購入する方式であり、給液すべきポリ容器の数だけの枚数のプリペイドカードを購入しなければならず、複数のポリ容器への給液を行う場合には、カード枚数が増えて面倒である。そのため、複数のポリ容器の容量を合計した値を１枚のプリペイドカードにまとめて記憶させることにより、カード発行枚数を減らすことが考えられている。
【特許文献１】特開２０００−２０３６９８号公報
【発明の開示】
【発明が解決しようとする課題】
【０００９】
しかしながら、顧客が複数のポリ容器の総容量に相当するカード情報としての総供給量が記憶されたプリペイドカードを購入する場合には、まず供給すべき総供給量を入力し、その総供給量に相当する給液料金を投入することで購入できるが、顧客が各ポリ容器の容量を確認せずにプリペイドカードを購入してしまう場合があり、この場合には顧客が用意したポリ容器の個数では購入したプリペイドカードに記憶された総供給量を全て給液することができなくなることがある。
【００１０】
また、計量機では、プリペイドカードがカードリーダに挿入されてカード情報が読み込まれると、その総供給量を表示するだけであるので、顧客は、プリペイドカードのカード情報によって設定される総供給量に対してどの容量のポリ容器を何個ずつ用意すれば良いのかが分からず、例えば、カード情報の総供給量が５８リットルの場合には、２０リットルポリ容器が２個、１８リットルポリ容器が１個といった具合に大きさの異なる各ポリ容器の個数を確認しなければならず、各ポリ容器の個数及び容量の合計値を正確に求めることが難しくなる。
【００１１】
そこで、本発明は上記課題を解決した流体供給装置を提供することを目的とする。
【課題を解決するための手段】
【００１２】
請求項１記載の発明は、
被供給容器へ流体を供給する流体供給手段と、
前記流体供給手段により供給しようとする流体の供給量を設定量として設定する供給量設定手段と、
該供給量設定手段により設定された設定量を記憶する設定量記憶手段と、
前記流体供給手段による前記流体の供給量が前記設定量記憶手段に記憶された設定量に達したときに前記流体の供給を停止するように前記流体供給手段を制御する制御手段とを有する流体供給装置において、
前記設定量記憶手段に記憶された設定量を供給するために必要な前記被供給容器の個数を演算するための容器個数演算手段と、
前記容器個数演算手段により演算された前記被供給容器の個数を報知する報知手段と、
を備えたことを特徴とするものである。
【００１３】
請求項２記載の発明は、前記容器個数演算手段が、容量の異なる被供給容器の容量で除算して供給可能な各被供給容器毎の個数を演算し、
前記報知手段は、前記容器個数演算手段により演算された各被供給容器毎の個数を報知することを特徴とするものである。
【００１４】
請求項３記載の発明は、前記供給量設定手段が、予め購入されたカードに記憶された情報を読み取り、当該情報に基づき設定量を設定可能とすることを特徴とするものである。
【００１５】
請求項４記載の発明は、流体供給開始が行われない場合には、前記カードを返却することを特徴とするものである。
【００１６】
請求項５記載の発明は、流体の供給が行われると、前記カードを返却できないように回収することを特徴とするものである。
【発明の効果】
【００１７】
上記請求項１の発明によれば、設定量記憶手段に記憶された設定量を供給するために必要な被供給容器の個数を演算し、演算された被供給容器の個数を報知することにより、給液を開始する前に被供給容器が何個あれば良いのかが分かる。
【００１８】
また、請求項２の発明によれば、容量の異なる被供給容器の容量で除算して供給可能な各被供給容器毎の個数を演算することにより、容量の異なる各被供給容器の組み合わせの場合でも報知することができる。
【００１９】
また、請求項３の発明によれば、予め購入されたカードに記憶された情報を読み取り、当該情報に基づき設定量を設定可能とするので、設定量の設定操作が簡略化され、比較的容易に設定量の設定を行えると共に、設定釦を操作する場合よりも操作ミスによる誤設定を防止できる。
【００２０】
また、請求項４の発明によれば、流体供給開始が行われない場合には、カードを返却することにより、間違ったカード情報が記憶されたカードのカード情報を修正することが可能になる。
【００２１】
また、請求項５の発明によれば、流体の供給が行われると、カードを返却できないように回収することにより、使用済みのカードを用いたカード偽造や改造などの不正使用を防止できる。
【発明を実施するための最良の形態】
【００２２】
以下、図面と共に本発明の一実施例について説明する。
【実施例１】
【００２３】
図１は本発明になる流体供給装置の一実施例が適用された燃料供給システムを示す構成図である。
図１に示されるように、燃料供給システム１０は、灯油をセルフサービス方式で販売するためのシステムであり、ＰＯＳ本体１２と、カードリーダ１４と、計量機１６と、カード自動販売機（券売機）１８とから構成されている。また、ＰＯＳ本体１２及びカードリーダ１４は、シリアル回線からなるＳＳ−ＬＡＮ２０を介して計量機１６と接続されている。
【００２４】
カード自動販売機１８は、顧客が入力した供給量に応じた料金を投入することで、当該供給量をカード情報として記憶されたプリペイドカードを発行する。
【００２５】
また、ＰＯＳ本体１２は、管理キースイッチ、カードリーダ、各種操作スイッチ釦、各種メーセージを表示する表示器などが配設されている。また、ＰＯＳ本体１２は、ＳＳ−ＬＡＮ２０を介して計量機１６及びカードリーダ１４と通信可能に接続されており、カードリーダ１４にプリペイドカードが挿入されると、計量機１６に対し給液許可信号を出力すると共に、プリペイドカードに記憶されたカード情報に基づいて給液すべき供給量を設定量としてプリセットする。
【００２６】
また、カードリーダ１４には、カード自動販売機１８で購入されたプリペイドカードが挿入されるカード挿入部１４ａを有する。本実施例では、プリペイドカードに磁気記録方式の磁気カードを用いた場合を一例として説明する。
【００２７】
カードリーダ１４は、プリペイドカードが挿入されると、プリペイドカードの磁気記憶部に記憶されたカード情報（供給量）を読み込む。そして、プリペイドカードから読み込んだカード情報（供給量）を設定量として計量機１６に転送し、給液が終了した時点で挿入されたプリペイドカードを返却せずに回収するよう構成されている。
【００２８】
計量機１６は、左右側面にセルフサービス給液を行なう給液系統２４，２６が設けられている。給液系統２４，２６は、夫々給液ノズル２８、給液ホース３０を有している。
【００２９】
カード自動販売機１８は、紙幣投入口１８ａ、コイン投入口１８ｂ、給液すべき供給量を指定するための入力操作部１８ｃ、指定された供給量がカード情報として記憶されたカードを排出するカード排出部１８ｄ、釣り銭払出し部１８ｅを有する。尚、入力操作部１８ｃとしては、タッチパネル式の入力方法でも良いし、あるいはテンキーや各供給量毎のプッシュ式スイッチを複数個設けるようにしても良い。
【００３０】
図２は計量機１６の正面図である。
図２に示されるように、計量機１６は、前面に給液系統２４，２６に対応する表示器（報知手段）３４，３６と、ノズル掛け３８，４０とが設けられている。また、ノズル掛け３８，４０には、給液ノズル２８が掛止された状態でオフになるノズルスイッチ４２が設けられている。
【００３１】
給液を行う際には、ポリ容器４４を計量機１６の側方に置いて、ノズル掛け３８，４０から給液ノズル２８を外してポリ容器４４の給液口４４ａに給液ノズル２８の吐出パイプを挿入する。計量機１６は、カードリーダ１４からカード情報（供給量）が入力されると、給液ポンプを起動させる。
【００３２】
そして、給液ノズル２８のノズルレバーが開弁位置に操作されると、給液ホース３０及び給液ノズル２８を介してポリ容器４４への給液を開始する。顧客は、ポリ容器４４の給液口４４ａに液面が上昇すると、少量給液を行ない、ポリ容器４４が満タンになると、給液ノズル２８のノズルレバーを閉弁位置に戻して当該ポリ容器４４への給液操作が終了する。
【００３３】
また、計量機１６の前面には、表示器３４，３６の表示された数値をみて設定量が間違っていることに気付いた顧客が今回の給液をキャンセルするためのキャンセル４５が設けられている。尚、キャンセルスイッチ４５がオンに操作された場合には、カードリーダ１４に挿入されたプリペイドカードが返却される。
【００３４】
図３は表示器３４，３６を拡大して示す正面図である。
図３に示されるように、表示器３４，３６は、ポリ容器４４に給液された供給量を表示する供給量表示部４６と、プリペイドカードから読み込んだカード情報（供給量）により設定された設定量を表示する設定量表示部４８と、設定量からポリ容器４４の容量（１８リットルまたは２０リットル）で割り切れる整数を給液する際に用意すべき缶数として表示する缶数表示部５０とが設けられている。
【００３５】
従って、表示器３４，３６は、購入したプリペイドカードをカードリーダ１４に挿入してカード情報を読み取らせると、カード情報に基づいて設定量表示部４８に設定量が表示され、且つ缶数表示部５０に容器容量及び函数（ポリ容器数）が表示される。そのため、顧客は、給液を開始する前に設定量（供給量）とポリ容器４４の容量及び函数を確認することができ、設定量を誤って設定した場合には、缶数表示部５０に表示された容器容量及び函数が所持している容器容量及び函数と異なる値になるため、設定間違いであることを確認することが可能になる。
【００３６】
図４は計量機１６の各機器の構成を示すブロック図である。
図４に示されるように、計量機１６はコンピュータからなる制御回路５２を有する。尚、制御回路５２は、給液系統２４，２６を制御しているが、図４では一方のみの構成が示されている。
【００３７】
制御回路５２には、各給液経路に設けられた表示器３４、キャンセルスイッチ４５、電磁弁５４、給液ポンプ５６、流量計５８、メモリ６０と、ノズル掛け３８に設けられたノズルスイッチ４２、スピーカ６６、カード駆動モータ６８、カード検出センサ７０が接続されている。また、制御回路５２には、前述したＰＯＳ本体１２と、カードリーダ１４とが接続されている。
【００３８】
メモリ６０には、プリペイドカードのカード情報により設定された設定量を記憶する記憶エリア（設定量記憶手段）が設けられている。また、メモリ６０には、プリペイドカードのカード情報を読み取ったカードリーダ１４からの指示により供給を開始し、供給量が設定量に達したときに供給を停止するように制御する制御プログラム（制御手段）と、プリペイドカードに記憶された設定量を供給するために必要なポリ容器４４の個数を演算するための制御プログラム（容器個数演算手段）と、演算されたポリ容器４４の個数を報知する制御プログラム（報知手段）とが格納されている。
【００３９】
また、メモリ６０には、予めポリ容器４４の容量が記憶されており、本実施例では例えば、１８リットル、２０リットルが登録されている。尚、ポリ容器４４の種類によっては、１８リットル、２０リットル以外の容量を有するポリ容器の容量を記憶させることも可能である。
【００４０】
図５はカードリーダ１４の概略構成を示す図である。
図５に示されるように、カードリーダ１４は、カード挿入口１４ａに挿入された料金先払い方式のプリペイドカード（以下「カード」と言う）７２を検出するカード検出機構７３と、挿入されたカード７２を搬送するカード搬送機構７４と、カード搬送機構７４により内部に搬送された新規のカード７２に記憶されたカード情報を読み取る磁気ヘッド７６と、設定量の供給が終了すると使用済みのカード７２を回収するカード収納部８０とを有する。
【００４１】
カード検出センサ７０は、発光素子８２、受光素子８４、発光回路８６、受光回路８８により構成されている。カード挿入口１４ａには、発光素子８２と受光素子８４とが対向するように設けられている。カード７２がカード挿入口１４ａに挿入された状態のときは、発光素子９８からの光がカード７２によって遮断されて受光素子８４の出力がＬレベルに低下する。そして、カード７２がカード挿入口１４ａを通過すると、発光素子８２からの光が受光素子８４に受光されるため、受光素子８４の出力がＨレベルに変化する。
【００４２】
従って、発光素子８２は、発光回路８６により光を下方に向けて照射し、受光素子８４は受光した光量に応じたレベルの信号を受光回路８８へ出力する。そして、制御回路５２は、受光回路８８から出力されたカード検出信号により、カード駆動モータ６８を所定時間順方向に回転駆動してカード７２を挿入方向（Ａ方向）に搬送する。
【００４３】
カード搬送機構７４は、カード挿入口１４ａの内側に設けられたカード搬送用ローラ９２〜９５と、カード搬送用ローラ９２〜９５を回転駆動するカード駆動モータ６８とから構成されている。また、カード駆動モータ６８は、キャンセルスイッチ４５がオンに操作された場合、カード搬送用ローラ９２〜９５を逆方向に回転駆動してカード７２を排出方向（Ｂ方向）に搬送する。
【００４４】
磁気ヘッド７６で読み取られたカード情報は、磁気ヘッド読み取り回路７８により設定量を示す設定データに変換されて制御回路５２に入力される。また、カード７２は、カード情報が磁気ヘッド７６により読み取られた後、カード搬送機構７４によって挿入状態に保持されており、カード情報に基づいて設定された設定量（供給量）が供給し終わると、カード搬送機構７４によりカード収納部８０に搬送されて回収される。このように、カード７２が顧客に返却されないため、カード７２の偽造や、カード７２の不正使用が防止される。
【００４５】
ここで、制御回路５２が実行する制御処理について図６及び図７のフローチャートを参照して説明する。
【００４６】
図６に示されるように、Ｓ１１において、カード挿入が検出されたかどうかを確認する。Ｓ１１でカード検出センサ７０からカード検出信号が出力されたとき、カード７２がカード挿入口１４ａに挿入されたものと判断してＳ１２に進む。Ｓ１２では、カード７２に記憶されたカード情報から供給量を読み込む。
【００４７】
Ｓ１３では、カード７２から読み込まれた供給量Ｘをポリ容器４４の容量の一つである１８リットルで除算した値Ｎを求める（容器個数演算手段）。
【００４８】
続いて、Ｓ１４に進み、上記Ｓ１３で算出された数値Ｎが整数かどうかを確認する。Ｓ１４において、Ｓ１３で算出された数値Ｎが整数である場合には、Ｓ１５に進み、供給量Ｘ、１８リットル缶、ポリ容器４４の個数としてＮ個を表示器３４の供給量表示部４６、設定量表示部４８、缶数表示部５０に表示する（報知手段、図３参照）。
【００４９】
また、上記Ｓ１４において、上記Ｓ１３で算出された数値が整数でない場合は、Ｓ１６に進み、カード７２から読み込まれた供給量Ｘをポリ容器４４の容量の一つである２０リットルで除算した値Ｎを求める（容器個数演算手段）。
【００５０】
続いて、Ｓ１７に進み、上記Ｓ１６で算出された数値Ｎが整数かどうかを確認する。Ｓ１４において、Ｓ１６で算出された数値Ｎが整数である場合には、Ｓ１８に進み、供給量Ｘ、２０リットル缶、ポリ容器４４の個数としてＮ個を表示器３４の供給量表示部４６、設定量表示部４８、缶数表示部５０に表示する（報知手段）。
【００５１】
また、Ｓ１７において、Ｓ１６で算出された数値Ｎが整数でない場合は、Ｓ１９に進む。Ｓ１９では、供給量Ｘを１８リットルの整数倍の値Ｙと２０リットルの整数倍の値Ｚとの合計値となるように上記数値Ｙ，Ｚを求める（容器個数演算手段）。そして、次のＳ２０では、数値Ｙ，Ｚが共に整数となる組み合わせが有るかどうかを確認する。Ｓ２０において、数値Ｙ，Ｚが共に整数となる組み合わせが無い場合は、Ｓ２１に進み、供給量Ｘのみを表示器３４の供給量表示部４６に表示する（報知手段）。
【００５２】
また、Ｓ２０において、数値Ｙ，Ｚが共に整数となる組み合わせがある場合は、Ｓ２２に進み、供給量Ｘ、１８リットル缶の個数としてＹ個、２０リットル缶の個数としてＺ個を表示器３４の供給量表示部４６、設定量表示部４８、缶数表示部５０に表示する。
【００５３】
このように、表示器３４に供給量に応じたポリ容器４４の容量と個数が自動的に表示されるため、顧客は、給液前に表示器３４に表示された数値により供給量だけでなくポリ容器４４の容量と個数を確認することができる。
【００５４】
そのため、顧客自身が所持しているポリ容器４４の容量と個数が表示器３４に表示された数値と一致していれば、供給量を各ポリ容器４４に供給可能であることが分かる。また、顧客自身が所持しているポリ容器４４の容量と個数が表示器３４に表示された数値と一致していない場合には、供給量が間違っているので、キャンセルスイッチ４５をオンにして給液操作を中止し、カード駆動モータ６８によりカード搬送用ローラ９２〜９５を逆方向に回転駆動してカード７２をカードリーダ１４から排出させることができる。
【００５５】
次のＳ２３では、ノズルスイッチ４２がオフかどうかを確認する。Ｓ２３において、ノズルスイッチ４２がオンの場合は、Ｓ２３ａに進み、キャンセルスイッチ４５がオンかどうかを確認する。Ｓ２３ａにおいて、キャンセルスイッチ４５がオンに操作されないときは、上記Ｓ２３に戻り、顧客自身がキャンセルスイッチ４５をオンに操作した場合は、後述するＳ２８に移行する。
【００５６】
また、顧客が給液ノズル２８をノズル掛け３８から持ち上げると、ノズルスイッチ４２がオフに切り替わる。このように、Ｓ２３において、ノズルスイッチ４２がオフになると、図７のＳ２４に進み、ポンプ駆動信号を給液ポンプ５６に出力する。
【００５７】
続いて、Ｓ２５に進み、供給量Ｘをプリセット値として設定する。次のＳ２６では、流量計５８からの流量パルスが入力されたかどうかを確認する。Ｓ２６において、流量計５８からの流量パルスが入力されないときは、Ｓ２７に進み、ノズルスイッチ４２がオンかどうかを確認する。
【００５８】
Ｓ２７において、ノズルスイッチ４２がオンの場合は、給液操作を中止して給液ノズル２８がノズル掛け３８に戻されているため、Ｓ２７ａに進み、ポンプ駆動信号の出力を停止する。そして、Ｓ２８に進み、カード駆動モータ６８によりカード搬送用ローラ９２〜９５を逆方向に回転駆動してカード７２をカードリーダ１４から排出させる。また、Ｓ２７において、ノズルスイッチ４２がオフの場合は、給液ノズル２８がノズル掛け３８に戻されていないため、上記Ｓ２６に戻る。
【００５９】
このように、給液が中止された場合は、カード７２を返却する。そのため、顧客は返却されたカード７２のカード情報を事務所（図示せず）で正しい供給量に修正してから再度、操作をやり直すことができる。そして、Ｓ２９では、プリセット値をリセットして今回の制御処理を終了する。
【００６０】
また、上記Ｓ２７において、ノズルスイッチ４２がオフの場合は、給液ノズル２８がノズル掛け３８から外された状態であるので、上記Ｓ２６に戻る。そして、Ｓ２６において、流量計５８からの流量パルスが入力されたときは、Ｓ３０に進み、積算流量Ｑを計数する。続いて、Ｓ３１では、積算流量を表示器３４の供給量表示部４６に表示する。
【００６１】
次のＳ３２では、ノズルスイッチ４２がオフかどうかを確認する。Ｓ３２において、ノズルスイッチ４２がオフの場合は、給液が継続しているものと判断してＳ３８に進み、積算流量Ｑがプリセットされた供給量Ｘと等しいかどうかを確認する。上記Ｓ３８において、積算流量Ｑがプリセットされた供給量Ｘと等しい場合には、給液が終了したため、後述するＳ４２に進む。
【００６２】
上記Ｓ３８において、積算流量Ｑがプリセットされた供給量Ｘに達していない場合には、Ｓ３９に進み、流量計５８からの流量パルスが入力されたかどうかを確認する。Ｓ３９において、流量計５８からの流量パルスが入力されないときは、上記Ｓ３２に戻る。また、Ｓ３９において、流量計５８からの流量パルスが入力されたときは、Ｓ４０に進み、積算流量Ｑを計数する。続いて、Ｓ４１では、積算流量を表示器３４の供給量表示部４６に表示する。そして、上記Ｓ３２に戻る。
【００６３】
また、上記Ｓ３２において、ノズルスイッチ４２がオンの場合は、給液ノズル２８がノズル掛け３８に戻されて、各ポリ容器４４への給液がすべて終了したものと判断するため、Ｓ４２に進み、ポンプ駆動信号の出力を停止し、Ｓ４３でカード７２をカード収納部８０に回収する。このように、使用済みのカード７２をカード収納部８０に回収するため、カード７２の不正使用を未然に防ぐことが可能になる。そして、Ｓ４４では、表示器３４の表示を消去して今回の制御処理を終了する。
【産業上の利用可能性】
【００６４】
尚、上記実施例では、磁気記録方式のプリペイドカードによる精算方式を灯油販売の燃料供給システムに適用した場合について説明したが、これ以外の記録方式のカード（例えば、ＩＣチップを埋め込んだＩＣカード等）を用いても良いし、あるいはプリペイドカード以外の精算方式（例えば、現金、クレジットカード）で行う場合にも本発明を適用できるのは勿論である。
【００６５】
上記実施例では、顧客自身が給液操作を行うセルフサービス方式の燃料供給システムを一例として挙げたが、これに限らず、係員が給液操作を行う場合にも適用できるのは勿論である。
【００６６】
また、上記実施例では、灯油を販売する燃料供給システムについて説明したが、これに限らず、灯油以外の燃料（例えば、ガソリン、軽油、燃料電池車で消費される水素、あるいはＬＰＧ車やＣＮＧ車などで燃料として消費されるガス等）や飲料水や化学薬品等を供給する流体供給装置にも適用できるのは勿論である。
【００６７】
また、上記実施例では、供給量に対応するポリ容器４４の容量と個数を表示器３４に表示する代わりにスピーカ６６から音声により報知するようにしても良い。あるいは、供給量に対応するポリ容器４４の容量と個数を表示器３４に表示すると共に、音声により報知するようにしても良い。
【図面の簡単な説明】
【００６８】
【図１】本発明になる流体供給装置の一実施例が適用された燃料供給システムを示す構成図である。
【図２】計量機１６の正面図である。
【図３】表示器３４，３６を拡大して示す正面図である。
【図４】計量機１６の各機器の構成を示すブロック図である。
【図５】カードリーダ１４の概略構成を示す図である。
【図６】制御回路５２が実行する制御処理を説明するためのフローチャートである。
【図７】図６の処理に続いて制御回路５２が実行する制御処理を説明するためのフローチャートである。
【符号の説明】
【００６９】
１０  燃料供給システム
１２  ＰＯＳ本体
１４  カードリーダ
１６  計量機
１８  カード自動販売機
２４，２６  給液系統
２８  給液ノズル
３０  給液ホース
３４，３６  表示器
３８，４０  ノズル掛け
４２  ノズルスイッチ
４４  ポリ容器
４５  キャンセルスイッチ
４６  供給量表示部
４８  設定量表示部
５０  缶数表示部
５２  制御回路
５６  給液ポンプ
５８  流量計
６０  メモリ
６８  カード駆動モータ
７０  カード検出センサ
７２  カード
７３  カード検出機構
７４  カード搬送機構
７６  磁気ヘッド
８０  カード収納部
９２〜９５  カード搬送用ローラ
【図１】
2005145548.tif 000003
【図２】
2005145548.tif 000004
【図３】
2005145548.tif 000005
【図４】
2005145548.tif 000006
【図５】
2005145548.tif 000007
【図６】
2005145548.tif 000008
【図７】
2005145548.tif 000009